(57)【特許請求の範囲】
【請求項１】
デジタルカメラであって、
被写体の画像を画像データとして取得する撮影部と、
前記撮影部により取得された画像データを記録部に記録する記録手段と、
操作されることにより第１撮影条件にて撮影が行われて画像データが記録される第１シャッタボタンと、
操作されることにより第２撮影条件にて撮影が行われて画像データが記録される第２シャッタボタンと、
を備えることを特徴とするデジタルカメラ。
【請求項２】
請求項１に記載のデジタルカメラであって、
前記記録手段が、第１記録部および第２記録部に対して画像データの記録が可能とされており、
前記第１シャッタボタンが操作された場合に画像データが前記第１記録部に記録され、前記第２シャッタボタンが操作された場合に画像データが前記第２記録部に記録されることを特徴とするデジタルカメラ。
【請求項３】
請求項２に記載のデジタルカメラであって、
前記第１撮影条件が前記第１記録部から読み出され、前記第２撮影条件が前記第２記録部から読み出されることを特徴とするデジタルカメラ。
【請求項４】
デジタルカメラであって、
被写体の画像を画像データとして取得する撮影部と、
前記撮影部により取得された画像データを第１記録部または第２記録部に記録する記録手段と、
操作されることにより撮影が行われて前記第１記録部に画像データが記録される第１シャッタボタンと、
操作されることにより撮影が行われて前記第２記録部に画像データが記録される第２シャッタボタンと、
を備えることを特徴とするデジタルカメラ。
【請求項５】
請求項２ないし４のいずれかに記載のデジタルカメラであって、
前記記録手段が２つのカードスロットを有し、前記第１記録部および前記第２記録部が前記２つのカードスロットに装着されたメモリカードであることを特徴とするデジタルカメラ。
【発明の詳細な説明】
【０００１】
【発明の属する技術分野】
この発明は、被写体の画像を画像データとして取得するデジタルカメラに関する。
【０００２】
【従来の技術】
デジタルカメラにおいては、様々な設定が行われた上で撮影が行われるようになっている。例えば、絞り優先とするかシャッタ優先とするか、絞り値およびシャッタスピードをマニュアルにて設定するか、露出補正や色温度をどうするか、シャッタボタンが押されると１コマのみ撮影するか連写を行うか、感度や記録画質をどのようなものにするか、といった様々な設定の組合せ（撮影条件）が被写体の状態に応じて使い分けられる。
【０００３】
【発明が解決しようとする課題】
このように、被写体に応じて撮影条件を使い分ける場合、撮影条件の再設定という操作が必要となる。その結果、再設定の操作を行っている間にシャッタチャンスを逃してしまうということも生じ得る。そこで、撮影条件の再設定を簡単な操作で切り替える手法が望まれている。
【０００４】
一方、デジタルカメラでは画像データを記録するために複数の内蔵メモリ、内蔵メモリとメモリカード、あるいは、複数のメモリカード等の複数の記録部を備えた（あるいは、装着できる）ものも知られている。このようなデジタルカメラでは、撮影条件に応じて記録場所を使い分けたい、さらには、画像データを記録する記録部と撮影条件とを対応させたいという要望もある。しかしながら、従来の複数の記録部を備えたデジタルカメラにおいては、複数の記録部は単に記録容量を増やすという役割しかなく、複数の記録部を有効に活用しているとは言い難い。
【０００５】
そこで、この発明は上記課題に鑑みなされたものであり、撮影条件の設定を容易とし、あるいは、複数の記録部を有効に活用することにより、デジタルカメラの操作性の向上を図ることを目的としている。
【０００６】
【課題を解決するための手段】
請求項１の発明は、デジタルカメラであって、被写体の画像を画像データとして取得する撮影部と、前記撮影部により取得された画像データを記録部に記録する記録手段と、操作されることにより第１撮影条件にて撮影が行われて画像データが記録される第１シャッタボタンと、操作されることにより第２撮影条件にて撮影が行われて画像データが記録される第２シャッタボタンとを備える。
【０００７】
請求項２の発明は、請求項１に記載のデジタルカメラであって、前記記録手段が、第１記録部および第２記録部に対して画像データの記録が可能とされており、前記第１シャッタボタンが操作された場合に画像データが前記第１記録部に記録され、前記第２シャッタボタンが操作された場合に画像データが前記第２記録部に記録される。
【０００８】
請求項３の発明は、請求項２に記載のデジタルカメラであって、前記第１撮影条件が前記第１記録部から読み出され、前記第２撮影条件が前記第２記録部から読み出される。
【０００９】
請求項４の発明は、デジタルカメラであって、被写体の画像を画像データとして取得する撮影部と、前記撮影部により取得された画像データを第１記録部または第２記録部に記録する記録手段と、操作されることにより撮影が行われて前記第１記録部に画像データが記録される第１シャッタボタンと、操作されることにより撮影が行われて前記第２記録部に画像データが記録される第２シャッタボタンとを備える。
【００１０】
請求項５の発明は、請求項２ないし４のいずれかに記載のデジタルカメラであって、前記記録手段が２つのカードスロットを有し、前記第１記録部および前記第２記録部が前記２つのカードスロットに装着されたメモリカードである。
【００１１】
【発明の実施の形態】
図１ないし図４は、この発明の一の実施の形態に係るデジタルカメラ１の外観を示す図であり、図１はデジタルカメラ１の正面図、図２は背面図、図３は上面図、図４は側面図である。なお、図１ないし図３ではメモリカード４０ａ，４０ｂが装着される様子を理解できるように図示しており、図４ではメモリカードを図示していない。
【００１２】
図１ないし図４に示すように、デジタルカメラ１の正面には、被写体を撮像するためのレンズユニット３１、および、被写体に向けてフラッシュ光を発するフラッシュ８が設けられ、背面側には、撮像された画像やライブビュー画像を表示するための画素表示型の液晶ディスプレイを有するモニタ２１、撮影モードと再生モードとの間で動作モードを切り替える切替スイッチ６１、および、表示画像を変更したり各種設定条件を変更したりするための４ウェイキー６２が配置される。また、上部には撮影範囲を見定めるためのファインダ７が設けられる。
【００１３】
デジタルカメラ１の上面には、押込操作されることにより被写体の撮影が行われる２つのシャッタボタン（レリーズボタン）５ａ，５ｂ、および、デジタルカメラ１での撮影条件等を簡易表示するカメラ機能表示部２２が配置される。なお、カメラ機能表示部２２は、セグメント表示型の液晶ディスプレイ等で構成されており、撮影画像確認用となるモニタ２１とは別に設けられることで、撮影時においてもユーザが撮影条件等を視認することができる。
【００１４】
さらに、図４に示すように、デジタルカメラ１の側面には２つのカードスロット４１ａ，４１ｂが設けられており、各カードスロット４１ａ，４１ｂには１枚のメモリカードが装着可能となっている。
【００１５】
図５は、デジタルカメラ１のレンズユニット３１に関する内部構造を示す概略断面図である。図５に示すように、デジタルカメラ１の正面から内部へ向けてレンズユニット３１と撮像部３２とが順に配置され、これらの構成によりファインダ７を介して捉えられた被写体の画像の信号が取得される。レンズユニット３１は各種レンズと光量制限を行う絞り３１１とから構成され、撮像部３２は、レンズユニット３１により被写体の像が形成される撮像センサ３２１、および、撮像センサ３２１の光軸前面に配置されてモアレの低減を行う光学ローパスフィルタ３２２から構成される。
【００１６】
撮像センサ３２１は、光軸に対して垂直な平面（撮像面）内に複数の画素を有する全画素読み出しタイプのＣＣＤエリアセンサによって構成される。この撮像センサ３２１の撮像面側にはＲ（赤）、Ｇ（緑）、Ｂ（青）の原色透過フィルタが画素単位で市松状に貼られており、各画素はレンズユニット３１を介して入射する光の色成分ごとの刺激値を取得する。撮像センサ３２１においては電荷の蓄積時間を制御することにより、露光量の適正化が図られる。
【００１７】
次に、デジタルカメラ１の機能構成について説明する。図６は、デジタルカメラ１の機能構成を示すブロック図である。
【００１８】
撮像センサ３２１の内部において光電変換された画像は、撮像センサ３２１内の遮光された転送路へとシフトされた後、この転送路からバッファを介して画素ごとに順次読み出される。そして、撮像センサ３２１で得られた画像信号は、相関二重サンプリング部（ＣＤＳ：Correlated Double Sampling）３３１、オートゲインコントロール部（ＡＧＣ）３３２、Ａ／Ｄ変換器３３３を介して画像処理部１０に導かれる。すなわち、画像信号は、相関二重サンプリング部３３１においてサンプリングされて撮像センサ３２１によるノイズ成分が除去され、その後、オートゲインコントロール部３３２において感度補正が行われる。Ａ／Ｄ変換器３３３は、例えば１０ビットＡ／Ｄ変換器であり、オートゲインコントロール部３３２から得られる正規化されたアナログ信号をデジタル信号に変換する。
【００１９】
以上のように、デジタルカメラ１ではレンズユニット３１、撮像部３２、並びに、得られた画像信号に処理を施す各構成３３１〜３３３が撮影された被写体のデジタル画像信号（以下、「画像データ」という。）を取得する撮影部を構成している。
【００２０】
また、撮影時におけるデジタルカメラ１の各機構部を制御するために、カメラ制御ＣＰＵ１４が設けられ、カメラ制御ＣＰＵ１４は絞りドライバ１５およびタイミングジェネレータ１６に対して制御信号を送出する。ここで、撮像センサ３２１による撮像を連続的に行い、モニタ２１に画像をほぼリアルタイムにて表示するライブビュー時と、記録を目的として撮影を行う本撮影時とにおいて、カメラ制御ＣＰＵ１４の動作が相違する。
【００２１】
ライブビュー時においては、絞りドライバ１５により絞り３１１は開放固定とされる。そして、撮像センサ３２１上の測光エリアからの光量データに従ってカメラ制御ＣＰＵ１４にて露出制御データが算出され、露出制御データと予め準備されたプログラム線図とに基づいてタイミングジェネレータ１６による露光時間が適正となるようにフィードバック制御が行われる。
【００２２】
一方、本撮影時には、露出制御データとプログラム線図とに基づいて絞り３１１の絞り値および撮像センサ３２１の蓄積時間がカメラ制御ＣＰＵ１４により求められる。そして、求められた結果に従ってカメラ制御ＣＰＵ１４が絞りドライバ１５およびタイミングジェネレータ１６に対して制御信号を与え、本撮影時の露光量が適切に制御される。すなわち、絞りドライバ１５がカメラ制御ＣＰＵ１４からの制御信号に基づいて絞り３１１を駆動して絞り径の調整を行い、タイミングジェネレータ１６がカメラ制御ＣＰＵ１４からの制御信号に基づいて撮像センサ３２１の蓄積開始タイミングおよび終了タイミングの制御を行う。
【００２３】
また、カメラ制御ＣＰＵ１４は、２つのシャッタボタン５ａ，５ｂ、切替スイッチ６１、４ウェイキー６２等と接続されており（以下、シャッタボタン以外の操作スイッチを「操作スイッチ６」という。）、シャッタボタン５ａ，５ｂにより撮影タイミングがカメラ制御ＣＰＵ１４に入力され、操作スイッチ６により各種設定条件や動作モード等がカメラ制御ＣＰＵ１４に入力される。
【００２４】
さらに、カメラ制御ＣＰＵ１４により設定された撮影条件がデジタルカメラ１の上面に設けられたカメラ機能表示部２２に簡略表示される。
【００２５】
カメラ制御ＣＰＵ１４は、画像処理部１０と相互にデータ交換可能に接続されており、例えば、各種設定条件を画像処理部１０へと送ったり、画像処理部１０の動作状態を受け取ったりする。
【００２６】
一方、デジタル化された画像信号である画像データに対して複数種類の処理を施す画像処理部１０は、例えば、１チップのＩＣ（Integrated Circuit）として実現されており、画像処理を行う構成として、画素補間部１０１、カラーバランス制御部１０２、ガンマ補正部１０３および画像圧縮部１０４を有する。これらの構成はバスライン１１０との間でデータの受け渡しを行い、バスライン１１０には、各種演算処理を行うためのＣＰＵ１１１、基本プログラムを記憶するＲＯＭ１１２および作業領域となるＲＡＭ１１３が接続される。
【００２７】
さらに、バスライン１１０には画像をモニタ２１に表示するためのビデオエンコーダ１２１、画像データをメモリカードに記録するメモリカードドライバ１２２、および、撮影により取得された画像データを一時的に格納しておく画像メモリ１３が接続される。なお、メモリカードドライバ１２２および２つのカードスロット４１ａ，４１ｂが画像データを記録する手段を構成している。
【００２８】
次に、画像処理部１０に関連する各構成について説明する。
【００２９】
画像メモリ１３は、画像処理部１０に入力された画像データを一時的に格納するメモリであり、画像メモリ１３に格納された画像データは画像処理の対象となる。
【００３０】
画素補間部１０１は、画像メモリ１３から画像データを読み出して原色透過フィルタのフィルタパターンでマスキングした後、高帯域まで画素を有するＧの値をメディアン（中間値）フィルタにより周辺４画素の中間の２値の平均値に置換し、Ｒ，Ｂの値については周辺画素で平均補間する。
【００３１】
カラーバランス制御部１０２は、画素補間によって生成される各色成分ごとのデータに対して独立にゲイン補正することでホワイトバランス調整を行う。具体的には、輝度、彩度等から画像中の本来白色と思われる領域を推測し、この領域の各色成分の平均値を求め、平均値のＧ／Ｒ比およびＧ／Ｂ比をそれぞれＲ，Ｂに関する補正ゲインとして設定し、さらに、補正ゲインを用いてホワイトバランスの自動調整を行う（オートホワイトバランス）。
【００３２】
ガンマ補正部１０３は、ホワイトバランス調整の行われた画像データに対して出力機器（例えば、モニタ２１や一般的なディスプレイ）に適合した非線形変換を行う。
【００３３】
画像圧縮部１０４は、画像メモリ１３内の画像データをメモリカードに保存する際にＪＰＥＧ方式等による画像圧縮を行い、画像データのデータ量を削減する。なお、画像圧縮部１０４では圧縮された画像データの伸張処理も行われる。
【００３４】
ビデオエンコーダ１２１は、画像メモリ１３に記憶されている画像データをＮＴＳＣ方式若しくはＰＡＬ方式のデータにエンコードし、モニタ２１に画像をプレビュー表示させる。なお、電子ファインダを有するデジタルカメラの場合にはプレビュー表示は電子ファインダにて行われてもよい。
【００３５】
メモリカードドライバ１２２は、メモリカードとの間でデータの受け渡しを行う部位であり、ユーザにより画像データの保存が指示された場合には画像メモリ１３内の画像データが画像圧縮部１０４により圧縮された後、カードスロットを介してメモリカードへと保存される。逆に、メモリカードからの画像データの読み出しが指示された場合には、メモリカードドライバ１２２により画像データがメモリカードから読み出され、画像圧縮部１０４にて伸張処理された後、画像メモリ１３へと格納される。これにより、読み出された画像データがモニタ２１にて表示可能となる。
【００３６】
なお、メモリカードは半導体メモリを利用した記録媒体には限定されず、磁気ディスクや光磁気ディスクを利用した記録媒体であってもよい。
【００３７】
画像処理部１０内のＣＰＵ１１１、ＲＯＭ１１２およびＲＡＭ１１３は、デジタルカメラ１の様々な動作を制御する構成であり、ＲＯＭ１１２に格納されている基本プログラムに従ってＲＡＭ１１３を作業領域としつつＣＰＵ１１１が演算処理を実行することにより、デジタルカメラ１の撮影条件の設定や画像の表示操作等が行われる。また、図６では、各処理部１０１〜１０４が専用の電気的回路で設けられるものとしてブロックにて図示しているが、ＣＰＵ１１１、ＲＯＭ１１２、ＲＡＭ１１３によりこれらの処理部１０１〜１０４の任意のもの（あるいはその一部）の機能が実現されてもよい。
【００３８】
以上、この発明に係るデジタルカメラ１の構成について説明してきたが、デジタルカメラ１では２つのシャッタボタン５ａ，５ｂおよび２つのカードスロット４１ａ，４１ｂを有する構成となっている。次に、これらのシャッタボタン５ａ，５ｂおよびカードスロット４１ａ，４１ｂを利用したデジタルカメラ１の動作について説明する。
【００３９】
なお、以下の説明において、２つのカードスロットを区別する必要がある場合には、第１カードスロット４１ａ、第２カードスロット４１ｂと区別して呼び、第１および第２カードスロット４１ａ，４１ｂに装着されたメモリカードをそれぞれ第１メモリカード４０ａ、第２メモリカード４０ｂという。また、２つのカードスロットには２つのシャッタボタンがそれぞれ関連付けられており、第１カードスロット４１ａには第１シャッタボタン５ａが関連付けられ、第２カードスロット４１ｂには第２シャッタボタン５ｂが関連付けられているものとする。
【００４０】
図７はメモリカードの着脱が行われた際の、あるいは、電源が投入された際のデジタルカメラ１における撮影条件の設定動作の流れを示す流れ図である。
【００４１】
まず、デジタルカメラ１では、メモリカードがいずれかのカードスロットに装着されているか確認され（ステップＳ１１）、いずれのカードスロットにもメモリカードが装着されていない場合には、予め定められた標準設定を撮影条件として用いる（ステップＳ１２）。
【００４２】
ここで、撮影条件とは撮影の際の様々な設定条件をいい、撮影の際の絞り、電荷の蓄積時間（すなわち、シャッタスピード）等の動作に関する動作条件と、得られた画像データに施す画像処理の条件とに大きく分けることができる。
【００４３】
いずれかのカードスロットにメモリカードが装着されている場合、メモリカードが１つだけ装着されているか、２つ装着されているかが確認される（ステップＳ１３）。
【００４４】
メモリカードが２つ装着されている場合には、各メモリカードに記録されている撮影条件がデジタルカメラ１により読み出される（ステップＳ１４）。そして、第１メモリカード４０ａから読み出された撮影条件（以下、「第１撮影条件」という。）は第１シャッタボタン５ａが押された場合の撮影条件として設定され、第２メモリカード４０ｂから読み出された撮影条件（以下、「第２撮影条件」という。）は第２シャッタボタン５ｂが押された場合の撮影条件として設定される（ステップＳ１５）。
【００４５】
図８はメモリカード内部のデータ構造を示す模式図である。メモリカードにはメモリカードの名称、記録容量、属性等が基本情報４１１として格納されており、このメモリカードを使用する際のデジタルカメラ１の動作条件４１２ａや画像データの処理条件４１２ｂが撮影条件４１２として格納されている。また、後述するようにこの撮影条件にて撮影が行われると、取得された画像が画像データ４１３として格納される。
【００４６】
図９は、２枚のメモリカードが装着されている場合におけるデジタルカメラ１の第１および第２撮影条件をモニタ２１に表示した際の様子を例示する図であり、具体的には、切替スイッチ６１を「撮影モード」に切り替えた後、４ウェイキー６２を操作することにより表示される画面を示している。
【００４７】
図９において「スロット１」は第１カードスロット４１ａを示しており、「スロット２」は第２カードスロット４１ｂを示している。そして、第１カードスロット４１ａに装着された第１メモリカード４０ａの名称が「ＡＥＳＰ１２」であり、第１撮影条件では、絞り優先（Ａ優先）、露出補正ステップが１／２（STEP 1/2）、撮影時の色温度が5500K、連続撮影（CONT）、撮影感度がISO100相当、および、画質（すなわち、画像データの圧縮率の設定）がFINEである旨が表示されている。
【００４８】
また、第２カードスロット４１ｂに装着された第２メモリカード４０ｂの名称が「ＭＡＣＲＯ２」であり、第２撮影条件では、シャッタ優先（Ｓ優先）、露出補正ステップが１／３（STEP 1/3）、撮影時の色温度が2850K、通常撮影（SINGLE）、撮影感度がISO50相当、および、画質がS-FINEである旨が表示されている。
【００４９】
なお、図９に示した撮影条件は例示にすぎず、その他の撮影条件として、例えば、連続撮影の間隔、カラーモード（白黒、セピア、カラー等）、画像サイズ等が含められてもよい。
【００５０】
図９では、スロット１の第１撮影条件を枠で囲んで表示することにより、デジタルカメラ１の上面に配置されたカメラ機能表示部２２の表示が第１撮影条件であることを示している。図１０はカメラ機能表示部２２の表示例を示す図であり、カード名称が「ＡＥＳＰ１２」であり、画質がFINE、シャッタスピードが250である旨が表示される。また、符号２２１にて示す記号は撮影時の色温度を示しており、符号２２２にて示す記号は連続撮影であることを示している。
【００５１】
図７のステップＳ１３において、デジタルカメラ１に装着されているメモリカードが１つであると確認された場合には、このメモリカードから撮影条件が読み出され（ステップＳ１６）、２つのシャッタボタンの双方に読み出された撮影条件が設定される（ステップＳ１７）。すなわち、いずれのシャッタボタンが押された場合においてもメモリカードから読み出された撮影条件にて撮影が行われる。
【００５２】
次に、デジタルカメラ１にメモリカードが２つ装着された場合の撮影の際の動作の流れを図１１を参照しながら説明する。なお、以下の説明において、第１撮影条件には第１動作条件および第１処理条件が含まれ、第２撮影条件には第２動作条件および第２処理条件が含まれるものとする。
【００５３】
第１シャッタボタン５ａが押された場合（ステップＳ２１）、まず、デジタルカメラ１は第１動作条件に従って絞り、蓄積時間（あるいは、シャッタスピード）等を制御して画像データを取得する（ステップＳ２２）。
【００５４】
取得された画像データは、第１処理条件に従って画像処理部１０により処理される（ステップＳ２３）。すなわち、第１処理条件に従ってカラーバランスやガンマ補正が行われ、さらに、条件に含まれる圧縮率にて圧縮処理が行われる。その後、処理された画像データは第１カードスロット４１ａを介して第１メモリカード４０ａに記録され保存される（ステップＳ２４）。
【００５５】
一方、第２シャッタボタン５ｂが押された場合には（ステップＳ２１）、第２動作条件に従って画像データが取得され（ステップＳ２５）、第２処理条件に従って画像処理された後（ステップＳ２６）、第２カードスロット４１ｂを介して第２メモリカード４０ｂに画像データが記録され保存される（ステップＳ２７）。
【００５６】
なお、既述のように、メモリカードが１つしかデジタルカメラ１に装着されない場合には、２つのシャッタボタンのいずれにもメモリカードから読み出された撮影条件が関連付けられ、いずれのシャッタボタンが押された場合にも読み出された撮影条件に従って画像データの取得および処理が行われる。
【００５７】
以上のように、デジタルカメラ１では、図３に示すように２つのシャッタボタン５ａ，５ｂを設けることにより、ユーザが操作するシャッタボタンを選択することで撮影条件の選択、および、画像データを書き込むメモリカードの選択ができるようになっている。その結果、１台のデジタルカメラにてメモリカードを区別しつつ２通りの撮影が可能となり、実質的に２台のデジタルカメラを準備して撮影を行う場合と同様の撮影を行うことができ、操作性が向上される。
【００５８】
また、撮影条件はメモリカードに格納されていることから、ユーザが所望のメモリカードをデジタルカメラ１に装着することにより、デジタルカメラ１の撮影条件を自動的に切り替えることができる。その結果、撮影の都度、煩雑な撮影条件の設定変更を行う必要がなくなり、操作性が向上される。
【００５９】
以上、この発明の一の実施の形態に係るデジタルカメラ１について説明してきたが、この発明は上記実施の形態に限定されるものではなく、様々な変形が可能である。
【００６０】
例えば、上記実施の形態では、メモリカードから撮影条件を読み出すようになっているが、撮影条件はデジタルカメラにて予め２つ設定されてもよく、１つのメモリカードや１つの内蔵メモリに２つの撮影条件を記録しておいてもよい。このような場合であっても、２つのシャッタボタンにより撮影条件を容易に切り替えることができる。すなわち、２つのシャッタボタンにより撮影条件を選択する技術は、メモリカードを１つしか装着することができないデジタルカメラや内蔵メモリを１つだけ備えたデジタルカメラにも応用することができる。なお、シャッタボタンは２つに限定されるものではなく、３以上設けられてもよい。
【００６１】
さらに、撮影条件が格納されたメモリカードと撮影条件が格納されていないメモリカードとを判別可能とし、撮影条件が一方のメモリカードにしか格納されていない場合にはこの撮影条件が少なくとも一方のシャッタボタンに関連付けられ、いずれのメモリカードも撮影条件を格納していない場合には、標準設定が利用されるようになっていてもよい。
【００６２】
また、上記実施の形態では、２つのシャッタボタンを２つのカードスロットに対応付けることにより、シャッタボタンを選択すると記録対象となるメモリカードが選択されるようになっているが、互いに関連付けられたシャッタボタンとカードスロットとを３組以上設けてもよい。
【００６３】
また、上記実施の形態では、メモリカードに撮影条件が格納されるものとして説明したが、撮影条件として格納されるデータはどのような形態であってもよい。例えば、絞り値、電荷の蓄積時間、ホワイトバランス補正のパラメータ、ガンマ補正のパラメータ等のように、デジタルカメラの動作を直接制御するパラメータであってもよい。
【００６４】
【発明の効果】
請求項１に記載の発明では、操作するシャッタボタンに応じて撮影条件を選択することができ、操作性の向上を図ることができる。
【００６５】
また、請求項２に記載の発明では、操作するシャッタボタンに応じて画像データが記録される記録部を選択することができ、操作性の向上を図ることができる。
【００６６】
また、請求項３に記載の発明では、記録部からの撮影条件に従った撮影を行うことができ、操作性の向上を図ることができる。
【００６７】
請求項４に記載の発明では、操作するシャッタボタンに応じて画像データが記録される記録部を選択することができ、操作性の向上を図ることができる。
【００６８】
また、請求項５に記載の発明では、操作するシャッタボタンに応じて画像データが記録されるメモリカードを選択することができる。
【図面の簡単な説明】
【図１】この発明の一の実施の形態に係るデジタルカメラの正面図である。
【図２】デジタルカメラの背面図である。
【図３】デジタルカメラの上面図である。
【図４】デジタルカメラの側面図である。
【図５】デジタルカメラの内部構造の概略を示す断面図である。
【図６】デジタルカメラの機能構成を示すブロック図である。
【図７】撮影条件の設定の際のデジタルカメラの動作の流れを示す流れ図である。
【図８】メモリカード内のデータ構造を示す模式図である。
【図９】撮影条件が表示されたモニタの様子を例示する図である。
【図１０】カメラ表示部の表示例を示す図である。
【図１１】撮影の際のデジタルカメラの動作の流れを示す流れ図である。
【符号の説明】
１  デジタルカメラ
５ａ  第１シャッタボタン
５ｂ  第２シャッタボタン
１０  画像処理部
３１  レンズユニット
３２  撮像部
４０ａ  第１メモリカード
４０ｂ  第２メモリカード
４１ａ  第１カードスロット
４１ｂ  第２カードスロット
１２２  メモリカードドライバ
４１２  撮影条件
４１３  画像データ
【図１】
0003721904.tif 000002
【図２】
0003721904.tif 000003
【図３】
0003721904.tif 000004
【図４】
0003721904.tif 000005
【図５】
0003721904.tif 000006
【図６】
0003721904.tif 000007
【図７】
0003721904.tif 000008
【図８】
0003721904.tif 000009
【図９】
0003721904.tif 000010
【図１０】
0003721904.tif 000011
【図１１】
0003721904.tif 000012